(57)【特許請求の範囲】
【請求項１】
水を吸水する吸水口と吸水した水を整流する回転自在のランナーと整流された水を吐出する吐出口とを設けたポンプケーシングと、ロータ部と巻線を有するステータ部とを設け前記ランナーを駆動する電動機と、前記電動機を収容するモータケーシングと、前記ポンプケーシングの壁と前記モータケーシングの壁とを兼ねる壁面部と、前記モータケーシング内に前記壁面部と一体に形成され前記ステータ部と分離して前記ロータ部を収容する環状筒部とを備え、前記モータケーシングと前記環状筒部とを難燃性樹脂等で形成するとともに、前記モータケーシング内に絶縁充填材を充填することで、前記壁面部と前記ステータ部の巻線の間に前記絶縁充填材を介在させ、前記電動機の回転時に、前記ポンプケーシング内を流れる水が前記壁面部と前記絶縁充填材とを介して前記ステータ部の巻線を冷却することを特徴とするポンプ装置。
【請求項２】
ポンプケーシング内に回転自在に設けたランナーと、前記ランナーを駆動する電動機と、前記電動機のロータ部を難燃性樹脂等の環状筒部で覆うことによりロータ部とステータ部とを分離するとともに前記ステータ部を覆うように形成したモータケーシングとを備え、前記モータケーシングは、ランナー側の壁面部をポンプケーシングの一部を兼ねた構成とし、前記ステータ部を絶縁充填材にて封止し、前記ステータ部の巻線を保持するボビンまたは前記モータケーシングに突起ストッパーを設け、前記環状筒部とボビンとの間に絶縁距離が保てるようにしたポンプ装置。
【請求項３】
ポンプケーシング内に回転自在に設けたランナーと、前記ランナーを駆動する電動機と、前記電動機のロータ部を難燃性樹脂等の環状筒部で覆うことによりロータ部とステータ部とを分離するとともに前記ステータ部を覆うように形成したモータケーシングとを備え、前記モータケーシングは、ランナー側の壁面部をポンプケーシングの一部を兼ねた構成とし、前記ステータ部を絶縁充填材にて封止し、前記環状筒部のランナー側にシール部材を配設し、反ランナー側に軸受けを保持し外周にＯリングを設けたキャップを配設したポンプ装置。
【発明の詳細な説明】
【０００１】
【発明の属する技術分野】
本発明は、ランナーを電動機により駆動して送水するポンプ装置に関するものである。
【０００２】
【従来の技術】
従来、この種のポンプ装置は図３に示すように構成していた。以下、その構成について説明する。
【０００３】
図に示すように、ポンプケーシング１は、内部にランナーケーシング２を設け、このランナーケーシング２内にランナー３を回転自在に設けている。このランナー３の回転により、ランナーケーシング２で整流され、吸水口４より吸水した水を吐出口５より吐出するように構成している。
【０００４】
電動機６は、ランナー３を駆動するもので、永久磁石で構成したロータ部７とステータ部８とを有している。ロータケーシング９は、ロータ支持部１０によりロータ部７を支持するとともにロータ部７を覆い、ステータ部８を装着し、カバー１１をロータケーシング９に装着している。シール部材１２は、ポンプケーシング１内の水がロータ部７を通してステータ部８に侵入するのを防止するものである。
【０００５】
上記構成において、ステータ部８の巻線１３に電圧を印加することにより、コアに磁界が発生し、この磁界によりロータ部７が回転し、ランナー３を駆動する。このランナー３の回転により、ランナーケーシング２で整流され、吸水口４より吸水した水を吐出口５より吐出して送水する。
【０００６】
【発明が解決しようとする課題】
このような従来の構成では、万一、ロータケーシング９に割れや亀裂が発生した場合、またはシール部材１２に洩れが生じた場合、ポンプケーシング１内の水がステータ部８に漏洩し、安全上不具合な状態になる場合があり、また、巻線１３の温度を低減するための手段として空冷しかなく、構成上限界があり、巻線１３の巻線数が増大し、コアが大きくなってコスト高につながり、電動機６の大きさが大型になったり、コスト高となるなど量産性に不具合となっていた。
【０００７】
本発明は上記課題を解決するもので、絶縁性に対する安全性確保を確実なものとし、さらにステータ部の巻線の温度上昇を低減して巻線数を少なくするとともにコアの大きさを小さくして、量産性を向上することを目的としている。
【０００８】
【課題を解決するための手段】
本発明は上記目的を達成するために、水を吸水する吸水口と吸水した水を整流する回転自在のランナーと整流された水を吐出する吐出口とを設けたポンプケーシングと、ロータ部と巻線を有するステータ部とを設け前記ランナーを駆動する電動機と、前記電動機を収容するモータケーシングと、前記ポンプケーシングの壁と前記モータケーシングの壁とを兼ねる壁面部と、前記モータケーシング内に前記壁面部と一体に形成され前記ステータ部と分離して前記ロータ部を収容する環状筒部とを備え、前記モータケーシングと前記環状筒部とを難燃性樹脂等で形成するとともに、前記モータケーシング内に絶縁充填材を充填することで、前記壁面部と前記ステータ部の巻線の間に前記絶縁充填材を介在させ、前記電動機の回転時に、前記ポンプケーシング内を流れる水が前記壁面部と前記絶縁充填材とを介して前記ステータ部の巻線を冷却するものである。
【０００９】
これにより、万一、モータケーシングに破壊または亀裂が生じても、水は絶縁充填材にて封鎖され、ステータ部に至らないため、絶縁性に対する安全性を確保することができ、また、ステータ部の巻線の温度上昇を低減することができ、巻線数を少なくするとともにコアの大きさを小さくして、量産性を向上することができる。
【００１０】
【発明の実施の形態】
本発明の請求項１に記載の発明は、水を吸水する吸水口と吸水した水を整流する回転自在のランナーと整流された水を吐出する吐出口とを設けたポンプケーシングと、ロータ部と巻線を有するステータ部とを設け前記ランナーを駆動する電動機と、前記電動機を収容するモータケーシングと、前記ポンプケーシングの壁と前記モータケーシングの壁とを兼ねる壁面部と、前記モータケーシング内に前記壁面部と一体に形成され前記ステータ部と分離して前記ロータ部を収容する環状筒部とを備え、前記モータケーシングと前記環状筒部とを難燃性樹脂等で形成するとともに、前記モータケーシング内に絶縁充填材を充填することで、前記壁面部と前記ステータ部の巻線の間に前記絶縁充填材を介在させ、前記電動機の回転時に、前記ポンプケーシング内を流れる水が前記壁面部と前記絶縁充填材とを介して前記ステータ部の巻線を冷却するものであり、万一、モータケーシングに破壊または亀裂が生じても、水は絶縁充填材にて封鎖され、ステータ部に至らないため、絶縁性に対する安全性を確保することができ、また、モータケーシングは、ランナー側の壁面部をポンプケーシングの一部を兼ねた構成としているため、ポンプケーシング内の水により絶縁充填材を通してステータ部全体を冷却することができ、ステータ部の巻線の温度上昇を低減することができ、巻線数を少なくするとともにコアの大きさを小さくして、量産性を向上することができる。
【００１１】
請求項２に記載の発明は、ポンプケーシング内に回転自在に設けたランナーと、前記ランナーを駆動する電動機と、前記電動機のロータ部を難燃性樹脂等の環状筒部で覆うことによりロータ部とステータ部とを分離するとともに前記ステータ部を覆うように形成したモータケーシングとを備え、前記モータケーシングは、ランナー側の壁面部をポンプケーシングの一部を兼ねた構成とし、前記ステータ部を絶縁充填材にて封止し、前記ステータ部の巻線を保持するボビンまたは前記モータケーシングに突起ストッパーを設け、前記環状筒部とボビンとの間に絶縁距離が保てるようにしたものであり、絶縁充填材を充填するとき、突起ストッパーにより環状筒部とボビンとの間に絶縁距離が保てるため、絶縁充填材を環状筒部とステータ部との間の隙間に確実に充填することができ、絶縁性を高めるとともに、ステータ部とロータ部との芯円度を保つことができ、効率的なロータ回転が得られる。
【００１２】
請求項３に記載の発明は、ポンプケーシング内に回転自在に設けたランナーと、前記ランナーを駆動する電動機と、前記電動機のロータ部を難燃性樹脂等の環状筒部で覆うことによりロータ部とステータ部とを分離するとともに前記ステータ部を覆うように形成したモータケーシングとを備え、前記モータケーシングは、ランナー側の壁面部をポンプケーシングの一部を兼ねた構成とし、前記ステータ部を絶縁充填材にて封止し、前記環状筒部のランナー側にシール部材を配設し、反ランナー側に軸受けを保持し外周にＯリングを設けたキャップを配設したものであり、シール部材と外周にＯリングを設けたキャップとにより、環状筒部内からの水の漏洩を防止することができ、ポンプ装置外への水漏れを防ぎ、二次的絶縁不良を未然に防止することができる。また、環状筒部の内部は密閉状態であることから、ランナー側からの水が侵入しにくくなり、ロータ部へ水が侵入するのを一層防止することができる。
【００１３】
【実施例】
以下、本発明の実施例について、図面を参照しながら説明する。なお、従来例と同じ構成のものは同一符号を付して説明を省略する。
【００１４】
（実施例１）
図１に示すように、モータケーシング１４は、電動機６のロータ部７を覆う環状筒部１５とステータ部８を覆う箱状壁１６を一体に設け、難燃性樹脂などで形成し、環状筒部１５によりロータ部７とステータ部８とを分離している。モーターケーシング１４のランナー３側の壁面部１４ａは、ケーシング材１７とともにポンプケーシング１８を構成している。このモーターケーシング１４内にステータ部８を埋没させるように、ステータ部８全体を絶縁充填材１９にて封止している。
【００１５】
上記構成において作用を説明すると、ステータ部８の巻線１３に電圧を印加することにより、コアに磁界が発生し、この磁界によりロータ部７が回転し、ランナー３を駆動する。このランナー３の回転により、ランナーケーシング２で整流され、吸水口４より吸水した水を吐出口５より吐出して送水する。
【００１６】
このとき、万一、モータケーシング１４に破壊または亀裂が生じても、水は絶縁充填材１９にて封鎖され、ステータ部８に至らないため、絶縁性に対する安全性を確保することができる。また、モータケーシング１４は、ランナー３側の壁面部１４ａをポンプケーシング１８の一部を兼ねた構成としているため、ポンプケーシング１８内の水により絶縁充填材１９を通してステータ部８全体を冷却することができ、ステータ部８の巻線１３の温度上昇を低減することができ、巻線数を少なくするとともにコアの大きさを小さくして、量産性を向上することができる。
【００１７】
（実施例２）
図２に示すように、モータケーシング１４に突起ストッパー２０を設け、環状筒部１５とステータ部８のボビン２１との間に絶縁距離Ｚが保てるようにしている。他の構成は上記実施例１と同じである。
【００１８】
上記構成において作用を説明すると、絶縁充填材１９を充填するとき、突起ストッパー２０により環状筒部１５とボビン２１との間に絶縁距離Ｚが保てるため、絶縁充填材１９を環状筒部１５とステータ部８との間の隙間に確実に充填することができ、絶縁性を高めることができ、また、ステータ部８とロータ部７との芯円度を保つことができ、効率的なロータ回転が得られる。
【００１９】
なお、上記実施例では、モータケーシング１４に突起ストッパー２０を設けているが、ボビン２１に突起ストッパー２０を設け、環状筒部１５とステータ部８のボビン２１との間に絶縁距離Ｚが保てるようにしてもよい。
【００２０】
（実施例３）
図１に示すように、環状筒部１５のランナー３側にシール部材１２を配設し、反ランナー側に軸受け２２を保持し外周にＯリング２３を設けたキャップ２４を配設している。他の構成は上記実施例１と同じである。
【００２１】
上記構成において作用を説明すると、シール部材１２と外周にＯリング２３を設けたキャップ２４とにより、環状筒部１５内からの水の漏洩を防止することができ、ポンプ装置外への水漏れを防ぎ、二次的絶縁不良を未然に防止することができる。また、環状筒部１５の内部は密閉状態であることから、ランナー３側からの水が侵入しにくくなり、ロータ部７へ水が侵入するのを一層防止することができる。
【００２２】
【発明の効果】
以上のように本発明の請求項１に記載の発明によれば、水を吸水する吸水口と吸水した水を整流する回転自在のランナーと整流された水を吐出する吐出口とを設けたポンプケーシングと、ロータ部と巻線を有するステータ部とを設け前記ランナーを駆動する電動機と、前記電動機を収容するモータケーシングと、前記ポンプケーシングの壁と前記モータケーシングの壁とを兼ねる壁面部と、前記モータケーシング内に前記壁面部と一体に形成され前記ステータ部と分離して前記ロータ部を収容する環状筒部とを備え、前記モータケーシングと前記環状筒部とを難燃性樹脂等で形成するとともに、前記モータケーシング内に絶縁充填材を充填することで、前記壁面部と前記ステータ部の巻線の間に前記絶縁充填材を介在させ、前記電動機の回転時に、前記ポンプケーシング内を流れる水が前記壁面部と前記絶縁充填材とを介して前記ステータ部の巻線を冷却するので、万一、モータケーシングに破壊または亀裂が生じても、水は絶縁充填材にて封鎖され、ステータ部に至らないため、絶縁性に対する安全性を確保することができ、また、モータケーシングは、ランナー側の壁面部をポンプケーシングの一部を兼ねた構成としているため、ポンプケーシング内の水により絶縁充填材を通してステータ部全体を冷却することができ、ステータ部の巻線の温度上昇を低減することができ、巻線数を少なくするとともにコアの大きさを小さくして、量産性を向上することができる。
【００２３】
また、請求項２に記載の発明によれば、ポンプケーシング内に回転自在に設けたランナーと、前記ランナーを駆動する電動機と、前記電動機のロータ部を難燃性樹脂等の環状筒部で覆うことによりロータ部とステータ部とを分離するとともに前記ステータ部を覆うように形成したモータケーシングとを備え、前記モータケーシングは、ランナー側の壁面部をポンプケーシングの一部を兼ねた構成とし、前記ステータ部を絶縁充填材にて封止し、前記ステータ部の巻線を保持するボビンまたは前記モータケーシングに突起ストッパーを設け、前記環状筒部とボビンとの間に絶縁距離が保てるようにしたから、絶縁充填材を充填するとき、突起ストッパーにより環状筒部とボビンとの間に絶縁距離が保てるため、絶縁充填材を環状筒部とステータ部との間の隙間に確実に充填することができ、絶縁性を高めるとともに、ステータ部とロータ部との芯円度を保つことができ、効率的なロータ回転が得られる。
【００２４】
また、請求項３に記載の発明によれば、ポンプケーシング内に回転自在に設けたランナーと、前記ランナーを駆動する電動機と、前記電動機のロータ部を難燃性樹脂等の環状筒部で覆うことによりロータ部とステータ部とを分離するとともに前記ステータ部を覆うように形成したモータケーシングとを備え、前記モータケーシングは、ランナー側の壁面部をポンプケーシングの一部を兼ねた構成とし、前記ステータ部を絶縁充填材にて封止し、前記環状筒部のランナー側にシール部材を配設し、反ランナー側に軸受けを保持し外周にＯリングを設けたキャップを配設したから、シール部材と外周にＯリングを設けたキャップとにより、環状筒部内からの水の漏洩を防止することができ、ポンプ装置外への水漏れを防ぎ、二次的絶縁不良を未然に防止することができる。また、環状筒部の内部は密閉状態であることから、ランナー側からの水が侵入しにくくなり、ロータ部へ水が侵入するのを一層防止することができる。
【図面の簡単な説明】
【図１】  本発明の一実施例のポンプ装置の縦断面図
【図２】  同ポンプ装置のＸ−Ｘ線断面図
【図３】  従来のポンプ装置の縦断面図
【符号の説明】
３  ランナー
６  電動機
７  ロータ部
８  ステータ部
１４  モータケーシング
１４ａ  壁面部
１８  ポンプケーシング
１９  絶縁充填材
【図１】
0003811997.tif 000002
【図２】
0003811997.tif 000003
【図３】
0003811997.tif 000004